(57)【特許請求の範囲】
【請求項１】
被装着部材に係止されるロック装置において、
ロック位置とロック解除位置との間で直線的に移動される操作部材と、
ピン部を有し、前記操作部材の移動により前記ピン部が前記被装着部材に設けられている係止穴に挿入される係止位置と前記係止穴から退避する退避位置との間で移動するロック部と、
前記ロック部に設けられた従動部と、
前記操作部材の移動方向に対して直交する方向に前記従動部を移動させるカム面を有し、前記操作部材の移動により前記ロック部を前記係止位置に移動させる第１位置と前記退避位置に移動させる第２位置との間で移動するカム部と、
前記ロック部を前記係止位置に向けて付勢する第１付勢手段と、
前記カム面を前記従動部に当接させる方向に向けて前記カム部を付勢する第２付勢手段と、
を備えたことを特徴とするロック装置。
【請求項２】
請求項１に記載のロック装置において、
前記カム面の一端には、前記従動部を受け入れて前記ロック部を退避位置に維持するクリック溝が形成されている、
ことを特徴とするロック装置。
【請求項３】
カメラのアクセサリシューに着脱自在に取り付けられるカメラ用アクセサリにおいて、
ロック位置とロック解除位置との間で直線的に移動される操作部材と、
ピン部を有し、前記操作部材の移動により前記ピン部が前記アクセサリシューに設けられている係止穴に挿入される係止位置と前記係止穴から退避する退避位置との間で移動するロック部と、
前記ロック部に設けられた従動部と、
前記操作部材の移動方向に対して直交する方向に前記従動部を移動させるカム面を有し、前記操作部材の移動により前記ロック部を前記係止位置に移動させる第１位置と前記退避位置に移動させる第２位置との間で移動するカム部と、
前記ロック部を前記係止位置に向けて付勢する第１付勢手段と、
前記カム面を前記従動部に当接させる方向に向けて前記カム部を付勢する第２付勢手段と、
を備えたことを特徴とするカメラ用アクセサリ。
【請求項４】
請求項３に記載のカメラ用アクセサリにおいて、
前記カム面の一端には、前記従動部を受け入れて前記ロック部を退避位置に維持するクリック溝が形成されている、
ことを特徴とするカメラ用アクセサリ。
【請求項５】
請求項３又は４に記載のカメラ用アクセサリにおいて、
前記アクセサリシューに設けた電気接点から得られる信号に応答して光を被写体に向けて発光する発光部と、
前記アクセサリシューに挿脱自在な足部と、
前記足部に設けられ前記ピン部が出入りするための貫通穴と、
前記貫通穴を通して前記ピン部の前記係止穴への挿入を許容する位置に前記足部が前記アクセサリシューに挿入される時に、前記電気接点に電気的に接続される端子ピンと、
を備えることを特徴とするカメラ用アクセサリ。
【発明の詳細な説明】
【技術分野】
【０００１】
本発明は、ロック解除位置からロック位置への操作部材の移動によりロック部材を移動しロック部材を被装着部材に係止するロック装置及びカメラ用アクセサリに関する。
【背景技術】
【０００２】
従来、カメラへの電子閃光装置の装着は、例えば、カメラのシューに電子閃光装置の取付部に形成される足部を挿入した後、ロック機構の操作部材をロック解除位置からロック位置へ回動し、ロックピンをシューに形成される係止穴に係合することにより行われている。
そして、このようなロック機構として、ロックピンをバネ部材により付勢し、シューに形成される係止穴にロックピンが係合していない状態でも、操作部材をロック位置に回動可能なものが知られている。
【特許文献１】実開平２−９５０２３号公報
【発明の開示】
【発明が解決しようとする課題】
【０００３】
しかしながら、上述したロック機構では、シューに形成される係止穴にロックピンが係合していない状態でも、操作部材の操作が係合している場合と同様に行われるため、電子閃光装置がカメラに確実に装着されていることを識別するのが困難であるという問題があった。
本発明は、かかる従来の問題を解決するためになされたもので、被装着部材へのロック部材の係止を確実に認識することができるロック装置及びカメラ用アクセサリを提供することを目的とする。
【課題を解決するための手段】
【０００４】
本発明のロック装置の一態様は、ロック位置とロック解除位置との間で直線的に移動される操作部材と、ピン部を有し操作部材の移動によりピン部が被装着部材に設けられている係止穴に挿入される係止位置と係止穴から退避する退避位置との間で移動するロック部と、ロック部に設けられた従動部と、操作部材の移動方向に対して直交する方向に従動部を移動させるカム面を有し、操作部材の移動によりロック部を係止位置に移動させる第１位置と退避位置に移動させる第２位置との間で移動するカム部と、ロック部を係止位置に向けて付勢する第１付勢手段と、カム面を従動部に当接させる方向に向けてカム部を付勢する第２付勢手段と、を備えたものである。
【０００５】
従動部を受け入れてロック部を退避位置に維持するクリック溝をカム面の一端に形成するのが好適である。
【０００６】
本発明のカメラ用アクセサリの一態様は、ロック位置とロック解除位置との間で直線的に移動される操作部材と、ピン部を有し操作部材の移動によりピン部がアクセサリシューに設けられている係止穴に挿入される係止位置と係止穴から退避する退避位置との間で移動するロック部と、ロック部に設けられた従動部と、操作部材の移動方向に対して直交する方向に従動部を移動させるカム面を有し操作部材の移動によりロック部を係止位置に移動させる第１位置と退避位置に移動させる第２位置との間で移動するカム部と、ロック部を係止位置に向けて付勢する第１付勢手段と、カム面を従動部に当接させる方向に向けてカム部を付勢する第２付勢手段と、を備えたものである。
【０００７】
従動部を受け入れてロック部を退避位置に維持するクリック溝をカム面の一端に形成するのが好適である。
【０００８】
カメラ用アクセサリとしては、アクセサリシューに設けた電気接点から得られる信号に応答して光を被写体に向けて発光する発光部と、アクセサリシューに挿脱自在な足部と、足部に設けられピン部が出入りするための貫通穴と、貫通穴を通してピン部の係止穴への挿入を許容する位置に足部がアクセサリシューに挿入される時に電気接点に電気的に接続される端子ピンと、を備えたものでもよい。
【発明の効果】
【０００９】
本発明では、被装着部材へのロック部材の係止を確実に認識することができる。
【発明を実施するための最良の形態】
【００１０】
以下、図面を用いて本発明の実施形態を詳細に説明する。
（第１の実施形態）
この実施形態では、本発明が電子閃光装置のロック機構に適用される。
図１は、電子閃光装置１１を一眼レフレックス型のカメラ１３に取り付けた状態を示している。電子閃光装置１１は、発光部１５、取付部１７、足部１９を有している。発光部１５には、発光窓２１が形成されている。取付部１７は発光部１５から下方に突出して形成されている。取付部１７の下端には、足部１９が形成されている。足部１９は、カメラ１３の上部に配置されるシュー２３に挿脱可能とされている。
【００１１】
図２は、カメラ１３のシュー２３の詳細を示している。シュー２３の両側には、電子閃光装置１１の足部１９を保持する一対の保持部２３ａが形成されている。一対の保持部２３ａの間には、電気接点２３ｂおよび係止穴２３ｃが形成されている。
図３は、カメラ１３のシュー２３に電子閃光装置１１の足部１９を挿入した状態を示している。図３の状態はアンロック状態であり、取付部１７に配置される操作部材２５の操作部２５ａが、図３の(ｂ)に示すように、左側に回動されロック解除位置Ａに位置されている。
【００１２】
図４は、電子閃光装置１１をカメラ１３にロックしたロック状態を示しており、取付部１７に配置される操作部材２５の操作部２５ａが、図４の(ｂ)に示すように、図３の状態から右側に回動されロック位置Ｂに位置されている。
図５は、電子閃光装置１１の取付部１７の詳細を示している。図５では操作部材２５の操作部２５ａがロック解除位置Ａに位置されている。取付部１７には、ロック機構２７が設けられている。ロック機構２７は、外筒２９、ロック部材３１、カム部材３３、コイルスプリング３５、操作部材２５を有している。外筒２９内には、ロック部材３１、カム部材３３、コイルスプリング３５が収容されている。また、操作部材２５のバネ取付部２５ｂが挿入されている。なお、符号Ｓ１，Ｓ２，Ｓ３は端子ピンを示している。
【００１３】
ロック部材３１は、図６に示すように、本体部３１ａ、ピン部３１ｂを有している。本体部３１ａには、カム部材３３の偏心ピン３３ａが挿入される矩形状の穴部３１ｃが形成されている。ピン部３１ｂは、図５に示すように、足部１９に形成される貫通穴１９ａに挿入されている。
カム部材３３は、図６に示すように、偏心ピン３３ａ、本体部３３ｂ、切欠部３３ｃを有している。偏心ピン３３ａはロック部材３１の穴部３１ｃに挿入される。本体部３３ｂの中央には環状溝３３ｄが形成されている。この環状溝３３ｄには、図５に示すように、外筒２９の内周に形成される突出部２９ａが嵌合されている。本体部３３ｂの操作部材２５側には、中心軸上に、操作部材２５の軸部２５ｇが挿入される穴部３３ｅが形成されている。カム部材３３の操作部材２５側には、切欠部３３ｃが形成されている。
【００１４】
操作部材２５は、図６に示すように、バネ取付部２５ｂ、本体部２５ｃを有している。バネ取付部２５ｂの中心には、カム部材３３の穴部３３ｅに挿入される軸部２５ｇが形成されている。軸部２５ｇにはコイルスプリング３５が被嵌されている。軸部２５ｇの外側には、コイルスプリング３５の後端側の端部３５ａが係止される切欠部２５ｄが形成されている。コイルスプリング３５の先端側の端部３５ｂは、カム部材３３の切欠部３３ｃに係止可能とされている。
【００１５】
バネ取付部２５ｂと本体部２５ｃとの間には、環状溝２５ｅが形成されている。環状溝２５ｅには、図５に示すように、外筒２９の内周に形成される突出部２９ｂが係合されている。本体部２５ｃには、軸受部２５ｆが形成されている。軸受部２５ｆは、図５に示すように、取付部１７の側壁１７ａに形成される穴部１７ｂに支持されている。軸受部２５ｆの外側にはクリック用バネ３７が配置されている。本体部２５ｃには、本体部２５ｃから径方向に突出して操作部２５ａが形成されている。本体部２５ｃは、取付部１７の側壁１７ａに所定の摩擦力で押圧されている。
【００１６】
図７は、図６のロック機構２７を組み立てた状態を外筒２９を除いて示している。図７の状態はアンロック状態であり、コイルスプリング３５の後端側の端部３５ａがバネ取付部２５ｂの切欠部２５ｄに係止され、コイルスプリング３５の先端側の端部３５ｂがカム部材３３の切欠部３３ｃに係止されている。この状態では、バネ取付部２５ｂの切欠部２５ｄとカム部材３３の切欠部３３ｃとがコイルスプリング３５により反対方向に付勢され図７のコイルスプリング３５の裏側となる位置で相互に当接されている。
【００１７】
以下、上述したロック機構２７の動作を説明する。
図８は、アンロック状態のロック機構２７を示している。この状態では、操作部材２５の操作部２５ａが、図３の(ｂ)に示すように、ロック解除位置Ａに位置している。そして、ロック部材３１のピン部３１ｂの先端が、図８の(ｂ)に示すように、足部１９に形成される貫通穴１９ａから突出することなく、貫通穴１９ａの内側に位置している。従って、ピン部３１ｂは、シュー２３に形成される係止穴２３ｃに挿入されることなく、足部１９のシュー２３への抜き差しが自由に可能である。また、カム部材３３の切欠部３３ｃとバネ取付部２５ｂの切欠部２５ｄとがコイルスプリング３５により反対方向に付勢され、図８の(ｃ)に示すように相互に当接している。
【００１８】
図９は、ロック状態のロック機構２７を示している。この状態では、操作部材２５の操作部２５ａが、図４の(ｂ)に示すように、ロック位置Ｂに位置している。そして、ロック部材３１のピン部３１ｂの先端が、図９の(ｂ)に示すように、足部１９に形成される貫通穴１９ａから突出して貫通穴１９ａの外側のシュー２３の係止穴２３ｃに挿入されている。従って、足部１９のシュー２３への抜き差しができない状態である。また、カム部材３３の切欠部３３ｃとバネ取付部２５ｂの切欠部２５ｄとがコイルスプリング３５により反対方向に付勢され、図９の(ｃ)に示すように相互に当接している。
【００１９】
図１０は、足部１９をシュー２３に完全に差し込むことなく操作部材２５の操作部２５ａを指によりロック位置Ｂに回動している状態のロック機構２７を示している。この状態では、操作部材２５の操作部２５ａが、図４の(ｂ)に示すように、ロック位置Ｂに位置している。そして、ロック部材３１のピン部３１ｂの先端が、図１０の(ｂ)に示すように、足部１９に形成される貫通穴１９ａから突出することなくシュー２３の上面に当接している。また、コイルスプリング３５により反対方向に付勢されるカム部材３３の切欠部３３ｃとバネ取付部２５ｂの切欠部２５ｄとが、図１０の(ｃ)に示すように当接することなく離間して位置している。そして、この状態において操作部２５ａから指を離すと、コイルスプリング３５の付勢力により、操作部材２５が回動して操作部２５ａが図１０の(ａ)に点線で示す位置に自動的に移動して停止する。
【００２０】
すなわち、図１０の(ｂ)に示すように、ロック部材３１のピン部３１ｂの先端がシュー２３の上面に当接して移動を阻止されると、カム部材３３の切欠部３３ｃの回動が阻止され、これ以降は、操作部材２５のみが回動され、カム部材３３の切欠部３３ｃとバネ取付部２５ｂの切欠部２５ｄとが順次離間される。そして、操作部材２５のみの回動時には、カム部材３３の切欠部３３ｃとバネ取付部２５ｂの切欠部２５ｄとが順次離間するため、バネ取付部２５ｂの切欠部２５ｄに作用するコイルスプリング３５の付勢力が順次増大し、操作部材２５の操作部２５ａを回動するためのユーザの指の力が順次増大する。従って、ユーザは、回動負荷の増大を確認することにより、シュー２３へのロック部材３１の係止を確実に認識することができる。
【００２１】
そして、この状態において操作部２５ａから指を離すと、コイルスプリング３５の付勢力により、操作部材２５が回動して操作部２５ａが図１０の(ａ)に点線で示す位置に自動的に移動して停止する。この操作部２５ａの停止位置は、コイルスプリング３５の付勢力と、操作部材２５の本体部２５ｃと取付部１７の側壁１７ａとの間の摩擦力により決定される。
【００２２】
上述したロック機構２７では、足部１９をシュー２３に完全に差し込むことなく操作部材２５の操作部２５ａをロック位置Ｂに回動し、ロック部材３１の移動が阻止されると、操作部材２５がロック解除位置Ａ側に向けて自動的に回動して停止するため、最終的な操作部２５ａの位置を確認することにより、シュー２３へのロック部材３１の係止を確実に認識することができる。
【００２３】
また、上述したロック機構２７では、足部１９をシュー２３に完全に差し込むことなく操作部材２５の操作部２５ａをロック位置Ｂに回動し、ロック部材３１の移動が阻止されると、操作部材２５の回動負荷が順次増大するため、回動負荷の増大を確認することにより、シュー２３へのロック部材３１の係止を確実に認識することができる。
すなわち、この実施形態では、足部１９がシュー２３に完全に差し込まれていないことを、操作部材２５の回動負荷の増大を確認することにより認識することができ、また、最終的な操作部２５ａの位置を確認することにより認識することができる。
【００２４】
なお、足部１９がシュー２３に完全に差し込まれていないことを、回動負荷の増大のみにより認識可能に構成しても良い。すなわち、操作部２５ａの停止位置は、コイルスプリング３５の付勢力と、操作部材２５の本体部２５ｃと取付部１７の側壁１７ａとの間の摩擦力により決定されるため、摩擦力を大きくして、操作部材２５の操作部２５ａをロック位置Ｂで停止するようにしても良い。
（第２の実施形態）
図１１は、ロック機構２７の第２の実施形態を示している。
【００２５】
なお、この実施形態において第１の実施形態と同一の要素には、同一の符号を付して詳細な説明を省略する。
この実施形態のロック機構４１は、ロック部材４３と操作部材４５とを有している。そして、図１１の(ｂ)に示すように、操作部材４５がロック解除位置Ａとロック位置Ｂとの間を直線状に移動可能とされている。
【００２６】
ロック部材４３は、本体部４３ａ、ピン部４３ｂ、従動部４３ｃを有している。本体部４３ａの下面には、ピン部４３ｂが形成されている。本体部４３ａの上面は、第１のコイルスプリング４７により下方に向けて付勢されている。本体部４３ａの側面には、円柱状の従動部４３ｃが形成されている。
操作部材４５は、カム部４５ａ、連結部４５ｂ、操作部４５ｃを有している。カム部４５ａには、ロック部材４３の従動部４３ｃを上下方向に案内するカム面４５ｄが形成されている。カム面４５ｄの上面にはクリック溝４３ｅ(図１２参照)が形成されている。カム部４５ａの側面は、第２のコイルスプリング４９によりロック解除位置Ａ側に向けて付勢されている。カム部４５ａは連結部４５ｂを介して操作部４５ｃに接続されている。
【００２７】
以下、この実施形態のロック機構４１の動作を説明する。
図１１は、アンロック状態のロック機構４１を示している。この状態では、操作部材４５の操作部４５ｃが、図１１の(ｂ)に示すように、ロック解除位置Ａに位置している。そして、ロック部材４３のピン部４３ｂの先端が、図１１の(ｃ)に示すように、足部１９に形成される貫通穴１９ａから突出することなく、貫通穴１９ａの内側に位置している。従って、ピン部４３ｂは、シュー２３に形成される係止穴２３ｃに挿入されることなく、足部１９のシュー２３への抜き差しが自由に可能である。そして、ロック部材４３の従動部４３ｃが、カム部４５ａのカム面４５ｄのクリック溝４３ｅに位置している。
【００２８】
図１２は、ロック状態のロック機構４１を示している。この状態では、操作部材４５の操作部４５ｃが、図１２の(ｂ)に示すように、ロック位置Ｂに位置している。そして、ロック部材４３のピン部４３ｂの先端が、図１２の(ｃ)に示すように、足部１９に形成される貫通穴１９ａから突出して貫通穴１９ａの外側のシュー２３の係止穴２３ｃに挿入されている。従って、足部１９のシュー２３への抜き差しができない状態である。そして、ロック部材４３の従動部４３ｃが、カム部４５ａのカム面４５ｄの底面に位置している。
【００２９】
図１３は、足部１９をシュー２３に完全に差し込むことなく操作部材４５の操作部４５ｃを指によりロック位置Ｂに移動している状態のロック機構４１を示している。この状態では、操作部材４５の操作部４５ｃが、図１３の(ｂ)に示すように、ロック位置Ｂに位置している。そして、ロック部材４３のピン部４３ｂの先端が、図１３の(ｃ)に示すように、足部１９に形成される貫通穴１９ａから突出することなくシュー２３の上面に当接している。また、ロック部材４３の従動部４３ｃとカム面４５ｄとが接触することなく離間して位置している。そして、この状態において操作部４５ｃから指を離すと、第２のコイルスプリング４９の付勢力により、操作部材４５が移動して操作部４５ｃが図１３の(ａ)に細線で示す位置に自動的に移動して停止する。
【００３０】
すなわち、図１３の(ｃ)に示すように、ロック部材４３のピン部４３ｂの先端がシュー２３の上面に当接して移動を阻止されると、従動部４３ｃの移動が阻止され、これ以降は、操作部材４５のみが移動され、ロック部材４３の従動部４３ｃとカム面４５ｄとが離間される。そして、操作部材４５のみの移動時には、ロック部材４３の従動部４３ｃとカム面４５ｄとが離間しているため、ロック部材４３の従動部４３ｃを介してカム面４５ｄに作用する第１のコイルスプリング４７の付勢力がカム面４５ｄに作用することがなくなり、操作部材４５の操作部４５ｃを移動するためのユーザの指の力が急激に減少する。従って、ユーザは、移動負荷の減少を確認することにより、シュー２３へのロック部材４３の係止を確実に認識することができる。
【００３１】
そして、この状態において操作部４５ｃから指を離すと、第２のコイルスプリング４９の付勢力により操作部材４５が自動的に移動し、カム面４５ｄがロック部材４３の従動部４３ｃに当接した位置で自動的に移動して停止する。
上述したロック機構４１では、足部１９をシュー２３に完全に差し込むことなく操作部材４５の操作部４５ｃをロック位置Ｂに移動し、ロック部材４３の移動が阻止されると、操作部材４５がロック解除位置Ａ側に向けて自動的に移動して停止するため、最終的な操作部４５ｃの位置を確認することにより、シュー２３へのロック部材４３の係止を確実に認識することができる。
【００３２】
また、上述したロック機構４１では、足部１９をシュー２３に完全に差し込むことなく操作部材４５の操作部４５ｃをロック位置Ｂに移動し、ロック部材４３の移動が阻止されると、操作部材４５の移動負荷が急激に低減するため、移動負荷の減少を確認することにより、シュー２３へのロック部材４３の係止を確実に認識することができる。
すなわち、この実施形態では、足部１９がシュー２３に完全に差し込まれていないことを、操作部材４５の移動負荷の急激な減少を確認することにより認識することができ、また、最終的な操作部４５ｃの位置を確認することにより認識することができる。
【００３３】
なお、足部１９がシュー２３に完全に差し込まれていないことを、移動負荷の急激な減少のみにより認識可能に構成しても良い。すなわち、第２のコイルスプリング４９の付勢力を操作部材４５の操作部４５ｃと取付部１７の側壁１７ａとの間の摩擦力より小さくして、操作部材４５の操作部４５ｃをロック位置Ｂで停止するようにしても良い。
(実施形態の補足事項)
以上、本発明を上述した実施形態によって説明してきたが、本発明の技術的範囲は上述した実施形態に限定されるものではなく、例えば、以下のような形態でも良い。
【００３４】
(１)上述した実施形態では、本発明のロック機構２７，４１を電子閃光装置１１のカメラ１３への取り付けに適用した例について説明したが、例えば、ビデオカメラへの外付け用のマイクの取り付け、ノートパソコンへのバッテリーの取り付け等に広く適用できる。
【図面の簡単な説明】
【００３５】
【図１】カメラに電子閃光装置を取り付けた状態を示す正面図である。
【図２】図１のカメラのシューの詳細を示す説明図である。
【図３】ロック解除位置の操作部材を示す説明図である。
【図４】ロック位置の操作部材を示す説明図である。
【図５】ロック機構の詳細を示す断面図である。
【図６】ロック機構の詳細を示す分解斜視図である。
【図７】図６のロック機構の組み立て図である。
【図８】図７のロック機構のアンロック状態を示す説明図である。
【図９】図７のロック機構のロック状態を示す説明図である。
【図１０】図７のロック機構においてピン部の移動が阻止された状態を示す説明図である。
【図１１】本発明のロック機構の第２の実施形態を示す説明図である。
【図１２】図１１のロック機構のロック状態を示す説明図である。
【図１３】図１１のロック機構においてピン部の移動が阻止された状態を示す説明図である。
【符号の説明】
【００３６】
１１…電子閃光装置、１３…カメラ、２３…シュー、２３ｃ…係止穴、２５…操作部材、２７…ロック機構、３１…ロック部材、３３…カム部材、３５…コイルスプリング、４１…ロック機構、４３…ロック部材、４５…操作部材、４７…第１のコイルスプリング、４９…第２のコイルスプリング。
【図１】
0005348262.tif 000002
【図２】
0005348262.tif 000003
【図３】
0005348262.tif 000004
【図４】
0005348262.tif 000005
【図５】
0005348262.tif 000006
【図６】
0005348262.tif 000007
【図７】
0005348262.tif 000008
【図８】
0005348262.tif 000009
【図９】
0005348262.tif 000010
【図１０】
0005348262.tif 000011
【図１１】
0005348262.tif 000012
【図１２】
0005348262.tif 000013
【図１３】
0005348262.tif 000014